(57)【要約】【課題】本発明は、放熱板が保護膜から外部へ露出するのを防止できる抵抗器を提供することを目的とする。【解決手段】本発明の抵抗器は、金属で構成された抵抗体１１と、前記抵抗体１１の下面の両端部に設けられ、前記抵抗体１１の幅より幅が広い一対の電極１２と、前記抵抗体１１に設けられたトリミング溝１５と、前記抵抗体１１の上面に設けられた放熱板１３と、前記放熱板１３の周囲を覆う保護膜１４とを備え、前記放熱板１３は少なくともトリミング溝１５を覆い、かつ上面視で前記一対の電極１２と重ならない。【選択図】図２
2020088073.tif 000002
【特許請求の範囲】
【請求項１】
金属で構成された抵抗体と、前記抵抗体の両端部に設けられた一対の電極と、前記抵抗体に設けられたトリミング溝と、前記抵抗体の上面に設けられた放熱板と、前記放熱板の周囲を覆う保護膜とを備え、前記放熱板は少なくともトリミング溝を覆い、かつ上面視で前記一対の電極と重ならない抵抗器。
【請求項２】
前記一対の電極の幅が前記抵抗体の幅より広い請求項１に記載の抵抗器。
【請求項３】
前記放熱板は、前記抵抗体の上面、下面と、前記一対の電極間に流れる電流の向きと平行な前記抵抗体の側面とに一体的に設けられている請求項１に記載の抵抗器。
【発明の詳細な説明】
【技術分野】
【０００１】
本発明は、各種電子機器の電流値検出等に使用される高電力で低い抵抗値の抵抗器に関する。
【背景技術】
【０００２】
従来のこの種の抵抗器は、図８に示すように、板状の金属で構成された抵抗体１と、この抵抗体１の下面の両端部に形成された一対の電極２と、抵抗体１に形成された抵抗値調整用のトリミング溝３と、一対の電極２間領域の抵抗体１の下面を被覆する第１の保護膜４と、抵抗体１の上面に接着層５によって貼り付けられた板状の放熱板６と、放熱板６を完全に被覆する第２の保護膜７とを備えていた。
【０００３】
なお、この出願の発明に関する先行技術文献情報としては、例えば、特許文献１が知られている。
【先行技術文献】
【特許文献】
【０００４】
【特許文献１】特開２００９−２８９７７０号公報
【発明の概要】
【発明が解決しようとする課題】
【０００５】
上記従来の抵抗器は、板状の放熱板６が抵抗体１の上面に接着層５によって貼り付けられているため、放熱板６の形成位置が安定せず、放熱板６が第２の保護膜７から外部へ露出する可能性があった。
【０００６】
そして、放熱板６が第２の保護膜７から露出すると、めっき等が付着したり、他の部品へ影響を及ぼしたりするという不具合が生じる可能性がある。
【０００７】
本発明は上記従来の課題を解決するもので、放熱板が外部へ露出するのを防止できる抵抗器を提供することを目的とするものである。
【課題を解決するための手段】
【０００８】
第１の態様に係る抵抗器は、金属で構成された抵抗体と、前記抵抗体の両端部に設けられた一対の電極と、前記抵抗体に設けられたトリミング溝と、前記抵抗体の上面に設けられた放熱板と、前記放熱板の周囲を覆う保護膜とを備え、前記放熱板は少なくともトリミング溝を覆い、かつ上面視で前記一対の電極と重ならない。
【０００９】
第２の態様に係る抵抗器では、第１の態様において、前記一対の電極の幅が前記抵抗体の幅より幅が広い。
【００１０】
第３の態様に係る抵抗器では、第１の態様において、前記放熱板は、前記抵抗体の上面、下面と、前記一対の電極間に流れる電流の向きと平行な前記抵抗体の側面とに一体的に設けられている。
【発明の効果】
【００１１】
放熱板が抵抗体の側面にも設けられ、一対の電極の幅が抵抗体の幅より広いため、放熱板を一対の電極間に嵌め込むように形成することができ、これにより、放熱板の形成位置が安定するため、放熱板が保護膜から外部へ露出するのを防止できる。
【図面の簡単な説明】
【００１２】
【図１】本発明の一実施の形態における抵抗器の斜視図
【図２】同抵抗器の主要部の上面図
【図３】同抵抗器の断面図
【図４】同抵抗器の断面図
【図５】同抵抗器の製造方法を示す斜視図
【図６】同抵抗器の他の例の主要部の斜視図
【図７】同抵抗器の他の例の断面図
【図８】従来の抵抗器の断面図
【発明を実施するための形態】
【００１３】
図１は本開示の一実施の形態における抵抗器の斜視図、図２は同抵抗器の主要部の上面図、図３は図１、図２のＡ−Ａ線断面図、図４は図１、図２のＢ−Ｂ線断面図である。
【００１４】
本発明の一実施の形態における抵抗器は、図１〜図４に示すように、金属で構成された抵抗体１１と、抵抗体１１の下面の両端部に設けられ、抵抗体１１の幅より幅が広い一対の電極１２と、抵抗体１１の上面と、一対の電極１２間に流れる電流の向き（Ｘ方向）と平行な２つの側面に一体的に設けられた放熱板１３と、少なくとも放熱板１３の周囲を覆う保護膜１４とを備え、放熱板１３は上面視で一対の電極１２と重なっていない。
【００１５】
上記構成において、前記抵抗体１１は、ニクロム、銅ニッケル、マンガニン等からなる金属板で構成されている。また、抵抗体１１は上面視にて矩形状になっている。
【００１６】
さらに、抵抗体１１には抵抗値を調整するために、抵抗体１１を貫通するトリミング溝１５が、レーザ照射や打ち抜きによって形成されている。
【００１７】
前記一対の電極１２は、抵抗体１１とは別体の導電体で形成され、抵抗体１１より導電性のよいＣｕ等の金属で構成されている。さらに、一対の電極１２はそれぞれ、抵抗体１１の長手方向（一対の電極１２間に流れる電流の向き（Ｘ方向））の両端部の下面に、溶接、クラッド等の方法で接続されている。
【００１８】
また、一対の電極１２の幅（Ｘ方向と直交する方向における長さ寸法）が抵抗体１１の幅より広く、上面視で一対の電極１２の上面の一部は、幅方向において抵抗体１１から露出している。
【００１９】
そしてさらに、一対の電極１２の周囲には電気めっきまたは、ディップにてすずめっき層（図示せず）が施されており、これにより、抵抗器は実装用基板に実装される。
【００２０】
前記放熱板１３は、Ｃｕなどの金属で構成されており、かつ、抵抗体１１の上面から、一対の電極１２間に流れる電流の向き（Ｘ方向）と平行な２つの側面にかけて一体的に設けられている。すなわち、放熱板１３はコ字状となっている。なお、放熱板１３は、少なくともトリミング溝１５を覆うように形成される。
【００２１】
そして、放熱板１３と抵抗体１１とを絶縁する必要があるため、抵抗体１１との間には、絶縁性の接着層１６ａが形成されており、さらに、放熱板１３の少なくとも抵抗体１１と接する面に絶縁性のワニス等で覆われた保護層１６ｂが形成されている。接着層１６ａは、液状またはシート状のエポキシ樹脂、シリコン樹脂等で構成されている。
【００２２】
また、放熱板１３は、上面視で一対の電極１２と重なっておらず、放熱板１３の抵抗体１１の側面に形成された部分は、一対の電極１２間に位置する。一対の電極１２の幅が抵抗体１１の幅より広いため、放熱板１３は一対の電極１２間に固定され、この結果、一対の電極１２と放熱板１３が上面視で重ならないようにすることができる。したがって、放熱板１３のＸ方向の長さ寸法は、一対の電極１２間の隙間寸法より短くなっている。
【００２３】
なお、一対の電極１２と放熱板１３との間においても、放熱板１３の周囲に絶縁性の保護層１６ｂが形成され、一対の電極１２と放熱板１３との間の絶縁性を保持している。
【００２４】
図５に示すように、放熱板１３は、金属をコ字状に折り曲げ加工して形成し、この折り曲げ加工された放熱板１３を一対の電極１２間の抵抗体１１に嵌め込む。
【００２５】
また、保護層１６ｂは、あらかじめ放熱板１３の周囲全体または、抵抗体に接する面に塗布、乾燥させて形成しておく。さらに、抵抗体１１の放熱板１３が形成される箇所に接着層１６ａを形成し、その後、保護層１６ｂを有する放熱板１３を、接着層１６ａを介して抵抗体１１に接着させる。これにより、抵抗体１１と放熱板１３の間には、接着層１６ａと保護層１６ｂの２層が形成される。
【００２６】
なお、接着層１６ａまたは保護層１６ｂのうちいずれか一方のみで絶縁性と接着性を確保できる場合には、１層で形成してもよい。そして、トリミング溝１５が形成される部分は接着層１６ａを形成するのが好ましい。
【００２７】
前記保護膜１４は、エポキシ樹脂またはシリコン等で構成され、放熱板１３が外部に露出しないようにするために放熱板１３の周囲全体を覆う。さらに、一対の電極１２の実装される部分を除いた箇所の全てを覆うようにモールド成型によって形成される。なお、図２では説明を簡単にするために、保護膜１４を省略している。
【００２８】
また、放熱板１３は、抵抗体１１の上面、下面の少なくとも一方と、少なくとも１つの側面とが連続して形成されたものであればよく、例えば、図６に示すように、抵抗体１１の上面、抵抗体１１のＸ方向と平行な１つの側面、抵抗体１１の下面に形成されるような形状としてもよい。
【００２９】
なお、本明細書では、実装用基板がある側を下方としている。
【００３０】
本一実施の形態における抵抗器においては、放熱板１３が抵抗体１１の側面にも設けられ、一対の電極１２の幅が抵抗体１１の幅より広いため、放熱板１３を一対の電極１２間に嵌め込むように形成することができ、これにより、放熱板１３の形成位置が安定するため、放熱板１３が保護膜１４から外部へ露出するのを防止できる。
【００３１】
なお、図１のように抵抗体１１の下面に配置された一対の電極１２の構造は、一実施例であり、例えば図７のように、抵抗体１１の端面に一対の電極１２を設けてもよく、さらに、一対の電極１２を保護膜１４の下面方向へ折り曲げてもよい。この場合、放熱板１３は、抵抗体１１の端面に位置する一対の電極１２間に配置されていればよい。
【００３２】
また、熱伝導率が高い金属で構成された放熱板１３が、トリミング溝１５を覆っているため、トリミング溝１５周辺の熱を逃がすことができ、これにより、熱集中を緩和することができる。
【００３３】
さらに、トリミング溝１５によって低下した抵抗体１１の強度を放熱板１３によって向上させることができる。
【産業上の利用可能性】
【００３４】
本発明に係る抵抗器は、放熱板が保護膜から外部へ露出するのを防止できるという効果を有するものであり、特に各種電子機器の電流値検出等に使用される高電力で低い抵抗値の抵抗器等に適用することにより有用となるものである。
【符号の説明】
【００３５】
１１  抵抗体
１２  一対の電極
１３  放熱板
１４  保護膜
１５  トリミング溝
【図１】
2020088073.tif 000003
【図２】
2020088073.tif 000004
【図３】
2020088073.tif 000005
【図４】
2020088073.tif 000006
【図５】
2020088073.tif 000007
【図６】
2020088073.tif 000008
【図７】
2020088073.tif 000009
【図８】
2020088073.tif 000010